(57)【要約】    【課題】手動による暗証符号錠の位置合わせを室内外の両面から行うことが可能で、暗証符号の変更が容易で、安価な開閉戸用暗証符号錠を提供すること。    【解決手段】回転板型の暗証符号錠３０は、ケーシング３１と、ケーシング３１の中に配列され、ケーシング３１の中心軸回りに回転し、外周面に符号が表記された複数の符号付回転板３５と、回転板３５が暗証符号通りに位置合わせされた時に、回転板３５を貫通し、回転板３５に対してほぼ直角方向に移動可能な棒状のロック用部材３４とを含んで構成され、複数の回転板３５のうち、暗証符号に対応する位置に、位置合わせされていない回転板３５によってロック用部材３４の移動が阻止され、すべての回転板３５が暗証符号通りに位置合わせされた時に、ロック用部材３４が軸方向に移動可能なように構成されている。暗証符号の変更が容易であり、暗証符号として言葉を用いることもできる。【選択図】図６
2006183270.tif 000002
【特許請求の範囲】
【請求項１】
１方向に往復移動する符号付スライド板の暗証符号の位置合わせが、室内外の両面から手動で行われるスライド板型の開閉戸用暗証符号錠であって、
室外側パネルと、室内側パネルと、中間枠と、該中間枠内に配置された複数の符号付スライド板と、ロック用部材とを含んで構成され、
前記中間枠が前記室外側パネルに固定され、前記室内側パネルが前記中間枠に着脱可能又は開閉可能に取り付けられ、
前記複数の符号付スライド板が、前記ロック用部材が通るロック用部材用開口部を備え、前記中間枠内にほぼ平行に配列され、前記室外側パネル及び前記室内側パネルに対向する端面に、複数の符号が等間隔に表記されるとともに位置合わせ用ノブを備え、
前記室外側パネル及び前記室内側パネルが、前記符号付スライド板の符号が表記された端面に対応する位置にスリットを備え、前記位置合わせ用ノブが前記スリットから突出し、
前記位置合わせ用ノブを操作することにより、前記スリットに沿って前記符号付スライド板を移動させることが可能であり、
前記ロック用部材が、棒状又は板状の形状で、前記符号付スライド板に設けられたロック用部材用開口部をほぼ直交する方向に貫通し、前記複数の符号付スライド板が配列された間隔に対応するそれぞれの位置に一列に並んだ突起を備え、
それぞれの前記符号付スライド板が、前記ロック用部材用開口部に開口し、前記符号付スライド板の等間隔に表記された符号のうちのいずれかに対応する位置に、前記ロック用部材の突起が通る大きさの解錠用開口部を備え、
前記複数の符号付スライド板のうち、暗証符号に位置合わせされていない前記符号付スライド板によって前記ロック用部材の移動が阻止され、前記複数の符号付スライド板が暗証符号通りに位置合わせされた時に前記ロック用部材が軸方向に移動可能であるように構成されていることを特徴とする開閉戸用暗証符号錠。
【請求項２】
前記符号付スライド板が、前記ロック用部材から抜き取るための着脱用開口部を備え、  前記室内側パネルを取り外し又は開くことにより、前記符号付スライド板の交換又は並べ替えを行うことができるように構成されていることを特徴とする請求項１記載の開閉戸用暗証符号錠。
【請求項３】
前記室外側パネルの前面に、該室外側パネルを覆う開閉蓋を備え、該開閉蓋の開閉動作に連動して、暗証符号に位置合わせされた前記符号付スライド板を移動させることにより、暗証符号に位置合わせされた状態が残らないようにする符号付スライド板リセット手段を備えていることを特徴とする請求項１又は２記載の開閉戸用暗証符号錠。
【請求項４】
外周面に符号が表記された回転板の暗証符号の位置合わせが、室内外の両面から手動で行われる回転板型の開閉戸用暗証符号錠であって、
室外側開口部及び室内側開口部を備えたケーシングと、該ケーシングの中に配列され、該ケーシングの中心軸回りに回転し、外周面に符号が表記された複数の符号付回転板と、前記複数の符号付回転板が暗証符号通りに位置合わせされた時に、前記符号付回転板を貫通し、該符号付回転板に対してほぼ直交する方向に移動可能な棒状のロック用部材とを含んで構成され、
前記ケーシングの前記室外側開口部及び室内側開口部に、前記複数の符号付回転板の外周面が手動で回転可能に位置し、
前記ロック用部材が、前記複数の符号付回転板が配列された間隔に対応するそれぞれの位置に一列に並んだ突起を備え、
それぞれの前記符号付回転板が、前記ロック用部材が貫通する貫通孔に開口し、前記符号付回転板の外周面に等間隔に表記された複数の符号のうちのいずれかに対応する位置、及び前記貫通孔の中心軸を挟んで前記いずれかに対応する位置に対向する位置に、前記ロック用部材の突起が通る大きさの解錠用開口部を備え、
前記複数の符号付回転板のうち、暗証符号に対応する位置に、位置合わせされていない前記符号付回転板によって前記ロック用部材の移動が阻止され、前記複数の符号付回転板が暗証符号通りに位置合わせされた時に、前記ロック用部材が軸方向に移動可能であるように構成されていることを特徴とする開閉戸用暗証符号錠。
【請求項５】
前記符号付回転板が、内側の円板状部と、該円板状部の外周面に嵌合された符号付リング部とを含んで構成され、該符号付リング部が前記円板状部の外周面に沿って回転可能であり、前記内側の円板状部に形成されている解錠用開口部の円周方向の位置と、前記符号付リング部に表記された符号のうちのいずれかが対応するように設定可能に構成されていることを特徴とする請求項４記載の開閉戸用暗証符号錠。
【請求項６】
前記室外側開口部の前面に、少なくとも室外側開口部を覆う開閉蓋を備え、該開閉蓋の開閉動作に連動して、暗証符号に位置合わせされた前記符号付回転板を回転させることにより、暗証符号に位置合わせされた状態が残らないようにする符号付回転板のリセット手段を備えていることを特徴とする請求項４又は５記載の開閉戸用暗証符号錠。
【請求項７】
前記ロック用部材が備えている前記突起が、前記ロック用部材の軸部表面から出入自在であり、前記ロック用部材が解錠位置から施錠位置に移動される間に、室外側及び／又は室内側に設けられたボタンの操作によって、前記突起が前記ロック用部材の軸部表面又はその内側に入り、前記ロック用部材が施錠位置にある場合には、前記ボタンの操作が無効になるように構成された、前記ロック用部材の突起引き込み手段を備えていることを特徴とする請求項１〜６のいずれかの項に記載の開閉戸用暗証符号錠。
【請求項８】
片面から手動で操作可能な暗証符号錠であって、
デッドボルトを含む暗証符号キー部材と、キーブロックと、かんぬき部材と、前記暗証符号キー部材、前記キーブロック及び前記かんぬき部材を収納し、保持する前面パネル及び背面パネルとを含んで構成され、
前記暗証符号キー部材が、仕切板によってほぼ平行に仕切られた複数のキーブロック用溝を備え、前記複数のキーブロック用溝に前記キーブロックが摺動可能に嵌り、前記それぞれの仕切板におけるいずれかの暗証符号用の文字に対応する位置に、前記キーブロックが通る幅の開口部が形成され、
前記デッドボルトが、前記暗証符号キー部材の上部又は下部から突出して、前記キーブロック用溝に対してほぼ直交する方向に固定され、
前記前面パネルにおける前記キーブロック用溝に対応する位置に、スリットが形成され、それぞれの前記スリットの外側に、内側の前記キーブロックに連結された位置合わせ用ノブが配設され、
前記複数のキーブロックが、暗証符号に位置合わせされた時に解錠され、前記暗証符号キー部材が前記デッドボルトの軸方向に移動するように構成されていることを特徴とする開閉戸用暗証符号錠。
【請求項９】
ドアと、ドア外枠と、前記ドアに組み込まれた請求項１〜７のいずれかの項に記載の開閉戸用暗証符号錠と、前記ドアと前記ドア外枠との間をロックするデッドボルト及び受座を含む施錠部とを含んで構成された防犯戸システムであって、
前記開閉戸用暗証符号錠における暗証符号の位置合わせ用操作部が、室外側及び室内側の両面に位置するように取り付けられていることを特徴とする防犯戸システム。
【発明の詳細な説明】
【技術分野】
【０００１】
本発明は開閉戸用の暗証符号錠及び防犯戸システムに関し、より詳細には、防犯性に優れるとともに、室外及び室内の両面から操作することが可能な、安価な開閉戸用暗証符号錠及びこの開閉戸用暗証符号錠を用いた防犯戸システムに関する。
【背景技術】
【０００２】
最近、空き巣等の犯罪が増加してきており、住宅などの施錠されている窓の引き違い戸、玄関などの扉を開けて建物内に侵入する手口が使われることが少なくない。例えば、引き違い戸の場合には、クレセント錠などで施錠されている錠の近くのガラス板を割って、手が入る程度の開口部を作り、そこから内側へ手を差し入れてクレセント錠などを解錠するという方法が採られることが多い。また、玄関などのシリンダケースロック錠の場合は、キーによる施錠部は比較的簡単に開けられてしまい、サムターンでロックされている場合でも、サムターン回しという手口で開けられることが少なくない。
このように、たとえ施錠されていたとしても、外部から屋内へ比較的簡単に侵入されてしまうというのが実態である。
【０００３】
上記のような方法を含む様々な手口を使って建物内に侵入されることを防止するために、多くの防犯グッズが提案され、また市販されている。そのような防犯グッズのひとつに暗証番号錠がある。扉の施錠に使われる暗証番号錠には、電気的手段を利用するものが多く、例えば、暗証番号の記憶手段と、電子キーと、電子キーから送られてくる信号を受信する受信手段とを用いる「電子錠および電子キー」（特許文献１）、デッドボルトなどの施錠手段をキーによって動かす機械式錠前装置と、暗証番号、指紋等の個人情報を照合する照合手段と、機械的錠前装置の施錠手段の駆動を制止する制止手段とを備えた「複合錠前装置」（特許文献２）などが提案されている。また、テンキーから暗証番号を入力するもので、補助錠として利用することができるディジタルロックなどと呼ばれる暗証番号錠も市販されている。このような従来の暗証番号錠は、主として玄関などの主要な開閉戸を対象に設計されているものなど、その他のタイプのものでも比較的高価である。
【０００４】
空き巣は、上記のように、引き違い戸のガラス板の一部を割ってクレセント錠を解錠したり、玄関の扉のキー錠はむろんのこと、サムターンを外部から回したりすることによって、建物内に侵入することが多い。そのため、引き違い戸などは、たとえガラスの一部が割られてもクレセント錠が解錠できないように、ノブの部分を内側から暗証番号錠でロックすること、玄関の扉などを暗証番号錠で施錠することは、有効な防犯手段である。しかし、現在市販されている暗証番号錠は比較的高価であり、一般の家庭で外部に面するすべての戸に暗証番号錠を取り付けることは経済的な負担が大き過ぎるので、より安価な暗証番号錠が求められている。
【０００５】
現在市販されている暗証番号錠は、多くの部品で構成された電子式又は精巧な機械式の錠となっており、そのために価格が高くなっている。電子式の場合には番号入力部、機械式の場合にはキー式の入力部なども必要である。
【０００６】
暗証番号錠には、番号が刻印されたリング部を指で回し、暗証番号の位置合わせをするダイヤル式錠もあり、自転車などの錠として汎用されている。このようなダイヤル式錠は、一般住宅の開閉戸には不向きであるので、ほとんど使われていないが、門扉用として提案されているダイヤル式の暗証番号錠がある（特許文献３）。
【０００７】
図２３は、特許文献３に開示されている「ダイヤル式門錠」を示す断面図であり、（ａ）は施錠状態、（ｂ）は解錠状態を示している。このダイヤル式門錠は、複数個の突起１１２が形成された軸１１１と、複数個の突起１１２と同数のダイヤル板１１３とを含んで構成されている。施錠時には、図２３（ａ）に示したように、突起１１２が各ダイヤル板１１３の間に位置して軸１１１の移動が阻止され、各ダイヤル板１１３が暗証番号に位置合わせされた解錠時には、図２３（ｂ）に示したように、ダイヤル板１１３に形成された溝１１４を突起１１２が通って、軸１１１が移動できるようになっている。
【０００８】
特許文献３に開示されたダイヤル式門錠は、解錠と施錠に関する錠としての基本的な構造が自転車用などに用いられているダイヤル式錠と同様であり、全体が門扉用に構成されている。
【０００９】
これらのダイヤル式錠は、そのままでは玄関ドアや引き違い戸用の暗証番号錠として利用することはできない。すなわち、玄関ドアの場合のように、室外と室内の両面から操作することができるようにはなっていない。また、セキュリティ効果をより高めるために、必要に応じて暗証番号を変更することができる機構にもなっておらず、そのような機構に変更することも難しい。
【００１０】
暗証番号を随時変更することができるダイヤル式錠も提案されている（例えば、特許文献４）。特許文献４に開示されているダイヤル式錠は、自転車などに用いられるタイプのものである。図面を省略するが、このダイヤル式錠は、各ダイヤル板に対応する位置に突起が設けられた組み合わせ軸と、歯板、組み合わせリング及び番号リングで構成されたダイヤル板とを含み、解錠時には、歯板及び組み合わせリングに形成された溝を組み合わせ軸の突起が通るようになっている。暗証番号を変更する場合には、歯板の溝が突起に対応する位置にある時に、歯板の破口が解錠位置に対応し、番号リングを解錠位置に回転させて歯板を軸方向に移動させて番号リングから離す。その状態で、番号リングを回転させると暗証番号を変更することができる。
【００１１】
上記の特許文献４に開示されている例のように、暗証番号を変更できるいくつかのダイヤル式錠が提案されている。しかし、いずれも、機構的にかなり複雑であり、さらに、自転車などのワイヤー錠、貸ロッカーや自動販売機の扉の錠装置などとして利用されるものであり、一般の住宅用に適用することができるものではない。
この他、トラックの貨物室のドア、建物のドア、屋外のゲートなどに設置することを目的とした「スライド錠」（暗証番号錠）が提案されている（特許文献５）。
【００１２】
図２４は、特許文献５に開示されているスライド錠を示す斜視図である。このスライド錠は、複数の突起１２６が形成されたボルト１２４と、複数の環体（ダイヤル板）１２８と、複数の環体１２８を支持するケーシング１２５とを含んで構成されており、複数の環体１２８が暗証番号通りに位置した時に、ボルト１２４が、環体１２８を通過するようになっている。また、各環体１２８は、内側の管状部と符号が記された外側のリング部とで構成されており（図示省略）、内側の管状部と外側のリング部との位置関係をずらすことにより、暗証番号を変更することができるようになっている。
特許文献５に開示された暗証番号錠は、ケーシング１２５の一面側に暗証番号錠が組み込まれた構造となっているので、室外及び室内の両面から暗証番号を操作するドアなどの開閉戸用の暗証番号錠としては利用することができない。
【００１３】
一般に、暗証番号錠は、暗証番号をキーとするものであり鍵を必要としないので、鍵を紛失する恐れがないという利点がある。しかし、暗証番号、特に桁数の多い暗証番号は、数字の並びであるため、例えば高齢者などには覚えにくいという欠点がある。さらに長期間使わない場合には失念する可能性があるという欠点もある。したがって、従来の暗証番号錠は、使いやすさという点で、必ずしも満足できるものではないということにも難点がある。
【特許文献１】特開平６−３２８８１８号公報
【特許文献２】特開平８−６０９１４号公報
【特許文献３】実開平５−６１３６８号公報
【特許文献４】実用新案登録第３０６７４９７号公報
【特許文献５】特表２００１−５１５１５７号公報
【発明の開示】
【課題を解決するための手段及びその効果】
【００１４】
本発明は上記課題に鑑みなされたものであって、室外側、室内側の両面から操作可能であるため、ドアなどの開閉戸に適用することができるとともに、覚えやすい暗証符号を用いることが可能で、暗証符号の変更が可能な開閉戸用暗証符号錠を提供することを目的としている。また、本発明は、それらの開閉戸用暗証符号錠を用いた防犯戸システムを提供することを目的としている。
【００１５】
上記目的を達成するために本発明に係る開閉戸用暗証符号錠（１）は、１方向に往復移動する符号付スライド板の暗証符号の位置合わせが、室内外の両面から手動で行われるスライド板型の開閉戸用暗証符号錠であって、室外側パネルと、室内側パネルと、中間枠と、該中間枠内に配置された複数の符号付スライド板と、ロック用部材とを含んで構成され、前記中間枠が前記室外側パネルに固定され、前記室内側パネルが前記中間枠に着脱可能又は開閉可能に取り付けられ、前記複数の符号付スライド板が、前記ロック用部材が通るロック用部材用開口部を備え、前記中間枠内にほぼ平行に配列され、前記室外側パネル及び前記室内側パネルに対向する端面に、複数の符号が等間隔に表記されるとともに位置合わせ用ノブを備え、前記室外側パネル及び前記室内側パネルが、前記符号付スライド板の符号が表記された端面に対応する位置にスリットを備え、前記位置合わせ用ノブが前記スリットから突出し、前記位置合わせ用ノブを操作することにより、前記スリットに沿って前記符号付スライド板を移動させることが可能であり、前記ロック用部材が、棒状又は板状の形状で、前記符号付スライド板に設けられたロック用部材用開口部をほぼ直角方向板に貫通し、前記複数の符号付スライド板が配列された間隔に対応するそれぞれの位置に一列に並んだ突起を備え、それぞれの前記符号付スライド板が、前記ロック用部材用開口部に開口し、前記符号付スライド板の等間隔に表記された符号のうちのいずれかに対応する位置に、前記ロック用部材の突起が通る大きさの解錠用開口部を備え、前記複数の符号付スライド板のうち、暗証符号に位置合わせされていない前記符号付スライド板によって前記ロック用部材の移動が阻止され、前記複数の符号付スライド板が暗証符号通りに位置合わせされた時に前記ロック用部材が軸方向に移動可能であるように構成されていることを特徴としている。
【００１６】
上記開閉戸用暗証符号錠（１）によれば、室外側及び室内側の両面から手動で暗証符号の位置合わせを行うことができる。また、スライド板の位置合わせ用ノブを一方向に往復移動させるだけで、暗証符号の位置合わせを行うことができる。また、構造がシンプルであるので、操作がしやすく安価である。さらに、暗証符号として、数字ばかりではなく、文字を使うことができるので、暗証符号として、名詞や話し言葉などの言葉を用いることができる。そのため、暗証符号を覚えやすく、子供や老人の住む一般の家庭であっても、出入口用の錠として極めて使いやすい錠であるとともに、興味を持って積極的に利用されるという利点がある。したがって、戸建て住宅、マンションなどの住宅の玄関ドアや勝手口ドアなどの錠として、手軽に利用することができる錠である。
【００１７】
また、本発明に係る開閉戸用暗証符号錠（２）は、上記開閉戸用暗証符号錠（１）において、前記符号付スライド板が、前記ロック用部材から抜き取るための着脱用開口部を備え、前記室内側パネルを取り外し又は開くことにより、前記符号付スライド板の交換又は並べ替えを行うことができるように構成されていることを特徴としている。
【００１８】
上記開閉戸用暗証符号錠（２）によれば、暗証符号用の文字が表記されたスライド板の交換又は並べ替えを行うことができるので、簡単に暗証符号を変更することができる。したがって、防犯上非常に効果的である。
【００１９】
また、本発明に係る開閉戸用暗証符号錠（３）は、上記開閉戸用暗証符号錠（１）又は（２）において、前記室外側パネルの前面に、該室外側パネルを覆う開閉蓋を備え、該開閉蓋の開閉動作に連動して、暗証符号に位置合わせされた前記符号付スライド板を移動させることにより、暗証符号に位置合わせされた状態が残らないようにする符号付スライド板リセット手段を備えていることを特徴としている。
【００２０】
上記開閉戸用暗証符号錠（３）によれば、暗証符号錠の室外側を覆う開閉蓋を閉じることによって、暗証符号に位置合わせされた状態がリセットされ、暗証符号が分からなくなるようになっている。暗証符号に位置合わせした人は、暗証符号の状態が残らないようにスライド板を操作することが基本であるが、たとえその操作をしなかった場合でも、開閉蓋を閉じるだけで、暗証符号に位置合わされた状態がリセットされる。したがって、防犯上極めて安全な暗証符号錠である。
【００２１】
本発明に係る開閉戸用暗証符号錠（４）は、外周面に符号が表記された回転板の暗証符号の位置合わせが、室内外の両面から手動で行われる回転板型の開閉戸用暗証符号錠であって、室外側開口部及び室内側開口部を備えたケーシングと、該ケーシングの中に配列され、該ケーシングの中心軸回りに回転し、外周面に符号が表記された複数の符号付回転板と、前記複数の符号付回転板が暗証符号通りに位置合わせされた時に、前記符号付回転板を貫通し、該符号付回転板に対してほぼ直角方向に移動可能な棒状のロック用部材とを含んで構成され、前記ケーシングの前記室外側開口部及び室内側開口部に、前記複数の符号付回転板の外周面が手動で回転可能に位置し、前記ロック用部材が、前記複数の符号付回転板が配列された間隔に対応するそれぞれの位置に一列に並んだ突起を備え、それぞれの前記符号付回転板が、前記ロック用部材が貫通する貫通孔に開口し、前記符号付回転板の外周面に等間隔に表記された複数の符号のうちのいずれかに対応する位置、及び前記貫通孔の中心軸を挟んで前記いずれかに対応する位置に対向する位置に、前記ロック用部材の突起が通る大きさの解錠用開口部を備え、前記複数の符号付回転板のうち、暗証符号に対応する位置に、位置合わせされていない前記符号付回転板によって前記ロック用部材の移動が阻止され、前記複数の符号付回転板が暗証符号通りに位置合わせされた時に、前記ロック用部材が軸方向に移動可能であるように構成されていることを特徴としている。
【００２２】
上記開閉戸用暗証符号錠（４）によれば、ダイヤル式の回転板によって、暗証符号の位置合わせが行われるように構成されているので、構造がシンプルで、操作がしやすく安価である。また、室外側と室内側で、同じ暗証符号で、解錠と施錠を行うことができる。さらに、ドアなどの厚みのある開閉戸に適用される場合には、回転板の外周部に多くの文字を表記することができる。例えば、アルファベットの全文字、ひらがなの全文字を表記することもできる。回転板に表記される文字が多い場合には、名詞や話し言葉など、多くの言葉を暗証符号として選ぶことができる。そのため、暗証符号を覚えやすく、子供や老人の住む一般の家庭であっても、出入口用の錠として極めて使いやすい錠であるとともに、興味を持って積極的に利用されるという利点がある。したがって、戸建て住宅、マンションなどの住宅の玄関ドアや勝手口ドアなどの錠として、手軽に利用することができる錠である。
【００２３】
また、本発明に係る開閉戸用暗証符号錠（５）は、上記開閉戸用暗証符号錠（４）において、前記符号付回転板が、内側の円板状部と、該円板状部の外周面に嵌合された符号付リング部とを含んで構成され、該符号付リング部が前記円板状部の外周面に沿って回転可能であり、前記内側の円板状部に形成されている解錠用開口部の円周方向の位置と、前記符号付リング部に表記された符号のうちのいずれかが対応するように設定可能に構成されていることを特徴としている。
【００２４】
上記開閉戸用暗証符号錠（５）によれば、それぞれの回転板の解錠位置を、任意にかつ簡単に変更することができるので、好みに応じて又は必要に応じて暗証符号を変更することができる。したがって、防犯上極めて効果的であるばかりでなく、子供などにも強い関心を持って暗証符号錠が利用されるという利点がある。
【００２５】
また、本発明に係る開閉戸用暗証符号錠（６）は、上記開閉戸用暗証符号錠（４）又は（５）において、前記室外側開口部の前面に、少なくとも室外側開口部を覆う開閉蓋を備え、該開閉蓋の開閉動作に連動して、暗証符号に位置合わせされた前記符号付回転板を回転させることにより、暗証符号に位置合わせされた状態が残らないようにする符号付回転板のリセット手段を備えていることを特徴としている。
【００２６】
上記開閉戸用暗証符号錠（６）によれば、暗証符号錠の室外側を覆う開閉蓋を閉じることによって、暗証符号に位置合わせされた状態がリセットされ、暗証符号が分からなくなるようになっている。暗証符号に位置合わせした人は、暗証符号の状態が残らないように回転板を操作することが基本であるが、たとえその操作をしなかった場合でも、開閉蓋を閉じるだけで、暗証符号に位置合わせされた状態がリセットされる。したがって、防犯上極めて安全な暗証符号錠である。
【００２７】
また、本発明に係る開閉戸用暗証符号錠（７）は、上記開閉戸用暗証符号錠（１）〜（６）のいずれかにおいて、前記ロック用部材が備えている前記突起が、前記ロック用部材の軸部表面から出入自在であり、前記ロック用部材が解錠位置から施錠位置に移動される間に、室外側及び／又は室内側に設けられたボタンの操作によって、前記突起が前記ロック用部材の軸部表面又はその内側に入り、前記ロック用部材が施錠位置にある場合には、前記ボタンの操作が無効になるように構成された、前記ロック用部材の突起引き込み手段を備えていることを特徴としている。
【００２８】
上記開閉戸用暗証符号錠（７）によれば、施錠の際、ロック用部材の突起を引き込ませることができるので、暗証符号に位置合わせすることなく施錠することができる。また、施錠された状態では、ロック用部材の突起が引き込まれないようになっており、防犯上全く支障が生じないように構成されている。したがって、使い勝手に優れた暗証符号錠とすることができる。
【００２９】
また、本発明に係る開閉戸用暗証符号錠（８）は、片面から手動で操作可能な暗証符号錠であって、デッドボルトを含む暗証符号キー部材と、キーブロックと、かんぬき部材と、前記暗証符号キー部材、前記キーブロック及び前記かんぬき部材を収納し、保持する前面パネル及び背面パネルとを含んで構成され、前記暗証符号キー部材が、仕切板によってほぼ平行に仕切られた複数のキーブロック用溝を備え、前記複数のキーブロック用溝に前記キーブロックが摺動可能に嵌り、前記それぞれの仕切板におけるいずれかの暗証符号用の文字に対応する位置に、前記キーブロックが通る幅の開口部が形成され、前記デッドボルトが、前記暗証符号キー部材の上部又は下部から突出して、前記キーブロック用溝に対してほぼ直角方向に固定され、前記前面パネルにおける前記キーブロック用溝に対応する位置に、スリットが形成され、それぞれの前記スリットの外側に、内側の前記キーブロックに連結された位置合わせ用ノブが配設され、前記複数のキーブロックが、暗証符号に位置合わせされた時に解錠され、前記暗証符号キー部材が前記デッドボルトの軸方向に移動するように構成されていることを特徴としている。
【００３０】
上記開閉戸用暗証符号錠（８）によれば、暗証符号錠の幅（デッドボルトの移動方向に対して直角方向の長さ）を狭くすることができる。したがって、ガラス戸の枠など、幅の狭い枠用の暗証符号錠として好適である。
【００３１】
本発明に係る防犯戸システムは、ドアと、ドア外枠と、前記ドアに組み込まれた請求項１〜７のいずれかの項に記載の開閉戸用暗証符号錠と、前記ドアと前記ドア外枠との間をロックするデッドボルト及び受座を含む施錠部とを含んで構成された防犯戸システムであって、前記開閉戸用暗証符号錠における暗証符号の位置合わせ用操作部が、室外側及び室内側の両面に位置するように取り付けられていることを特徴としている。
【００３２】
上記防犯戸システムによれば、安価で防犯性に優れた暗証符号錠が用いられているので、防犯戸システム全体を安価に構成することができる。さらに、暗証符号錠が使いやすく、暗証符号に言葉を用いることができるので、暗証符号錠を用いた防犯戸システムであっても、子供や老人にとっても非常に使いやすい。したがって、一般の家庭の玄関、勝手口などに適した防犯戸システムとすることができる。
【発明を実施するための最良の形態】
【００３３】
以下、本発明の実施の形態に係る開閉戸用暗証符号錠（以下、暗証符号錠と略記する）及びこの暗証符号錠を用いた防犯戸システムを図面に基づいて説明する。
図１は、実施の形態１に係る符号付スライド板型の暗証符号錠１０の外観を示す斜視図である。また、図２は、暗証符号錠１０の本体部に収められている部材を示す斜視図であり、（ａ）は符号付スライド板、（ｂ）はロック用部材、（ｃ）は符号付スライド板とロック用部材とが組み合わされた状態を示している。図３は、暗証符号錠１０の本体部の枠部を示す斜視図であり、（ａ）は室外側パネル、（ｂ）は符号付スライド板配列パネル、（ｃ）は室内側パネルを示している。さらに、図４は、図１に示したＩＶ−ＩＶ’切断線における断面図である。
【００３４】
図１〜４に示したように、暗証符号錠１０は、室外側パネル１１と、室内側パネル１２と、中間枠１３と、中間枠１３内に配置された複数の符号付スライド板１５と、ロック用部材１４とを含んで構成されている。また、中間枠１３は室外側パネル１１に固定され、室内側パネル１２は中間枠１３に着脱可能、別の実施の形態では開閉可能に取り付けられている。
【００３５】
複数の符号付スライド板１５は、ロック用部材１４が通るロック用部材用開口部１５ｅを備え、中間枠１３内にほぼ平行に配列され、さらに室外側パネル１１及び室内側パネル１２に対向する端面１５ｂに、複数の符号１５ｄが等間隔に表記され、位置合わせ用ノブ１５ａを備えている。室外側パネル１１及び室内側パネル１２は、符号付スライド板１５の符号１５ｄが表記された端面１５ｂに対応する位置にスリット１１ａ、１２ａを備え、位置合わせ用ノブ１５ａがスリット１１ａ、１２ａから突出している。これらの位置合わせ用ノブ１５ａを操作することにより、スリット１１ａ、１２ａに沿って符号付スライド板１５を移動させることができるようになっている。
【００３６】
ロック用部材１４は、棒状又は板状の形状で、符号付スライド板１５に設けられたロック用部材用開口部１５ｅをほぼ直角方向板に貫通し、複数の符号付スライド板１５が配列された間隔に対応するそれぞれの位置に一列に並んだ突起１４ａを備えている。また、それぞれの符号付スライド板１５は、ロック用部材用開口部１５ｅに開口し、符号付スライド板１５の端面１５ｂに等間隔に表記された符号１５ｄのうちのいずれかに対応する位置に、ロック用部材１４の突起１４ａが通る大きさの解錠用開口部１５ｆを備えている。
ロック用部材１４は、複数の符号付スライド板１５のうち、暗証符号に位置合わせされていない符号付スライド板１５によって、その移動が阻止され、複数の符号付スライド板１５が暗証符号通りに位置合わせされた時に、軸方向に移動可能に構成されている。
【００３７】
なお、図１、図３、図４に示したように、室外側パネル１１と室内側パネル１２との間に配置された中間枠１３の側面１３ｃ、１３ｄのほぼ中央部には、ロック用部材１４が通るロック用部材支持孔１６が形成されている。さらに、ロック用部材支持孔１６には、後に説明するロック用部材１４に設けられた突起１４ａが通る溝１６ａが形成されている。ロック用部材１４は、中間枠１３の側面１３ｃ、１３ｄに設けられた２つのロック用部材支持孔１６に支持されて、安定して往復移動するようになっている。以下に、各部材について、さらに詳しく説明する。
【００３８】
スライド板１５は、図２（ａ）に示したように、ほぼ直方体板状であり、室内側パネル１２のスリット１２ａ及び室外側パネル１１のスリット１１ａ（図３（ｃ）参照）に対応する端面、すなわち、位置合わせ用ノブ１５ａが設けられた室外側及び室内側の端面１５ｂ、１５ｃには、符号１５ｄが表記されている。符号１５ｄは、端面１５ｂ、１５ｃにほぼ等間隔に表記されており、数字、ローマ字、ひらがな、カタカナなど、暗証符号に用いることができるものであれば、どのような符号でもよい。ただし、端面１５ｂと１５ｃに表記する符号は同じ種類の符号、同じ順序とする。
【００３９】
また、スライド板１５の端面１５ｂと１５ｃにほぼ平行に、ロック用部材１４が通るロック用部材用開口部１５ｅが形成されており、ロック用部材１４がロック用部材用開口部１５ｅを貫通している状態で、スライド板１５の端面１５ｂ、１５ｃと平行に、スライド板１５を移動させることができるようになっている。
【００４０】
また、スライド板１５には、ロック用部材用開口部１５ｅに開口し、端面１５ｂ側の複数の符号１５ｄのいずれかに対応する位置に、ロック用部材１４の突起１４ａが通る溝１５ｆが設けられている。さらに、ロック用部材用開口部１５ｅの上部の一部とスライド板１５の室外側の端面１５ｃとの間に、スライド板着脱用開口部１５ｇが形成されている。このスライド板着脱用開口部１５ｇは、室内側からスライド板１５を着脱するために設けられている。スライド板１５の着脱については、後に説明する。
【００４１】
さらに、スライド板１５には、端面１５ｂ、１５ｃのそれぞれの上端部近傍及び下端部近傍に、弾性を有する突起である上部弾性突起１５ｈ、下部弾性突起１５ｉが設けられている。この上部弾性突起１５ｈ、下部弾性突起１５ｉは、次に説明する室外側パネル１１及び室内側パネル１２の内面に形成された溝に噛み合い、スライド板１５の位置を保持するとともに、符号１５ｄの位置決めを容易にする作用を有している。また、上部弾性突起１５ｈ、下部弾性突起１５ｉは、先端側が細い山形で、例えば、山形に成形され、一端側がスライド板の端面１５ｂ、１５ｃに固定された板バネなどで構成されている。
【００４２】
ロック用部材１４には、図２（ｂ）に示したように、一列に並んだ突起１４ａが設けられており、突起１４ａの間隔は、中間枠１３内に配列されたスライド板１５相互の間隔に対応している。ロック用部材１４の突起１４ａが、隣り合うスライド板１５の間に位置している時に、すべてのスライド板１５が暗証符号に位置合わせされ、スライド板１５の溝１５ｆが、ロック用部材１４の突起１４ａの位置に対応するように一列に並べられた場合に、ロック用部材１４が軸方向、すなわち、スライド板に対してほぼ直角方向に移動可能になっている。一方、ロック用部材１４の突起１４ａが、スライド板１５の間に位置している時に、少なくとも１枚のスライド板１５が暗証符号に位置合わせされていない場合（図２（ｃ）に示した状態）には、ロック用部材１４の突起１４ａの移動が暗証符号に位置合わせされていないスライド板１５によって係止され、ロック用部材１４の移動が阻止されるように構成されている。
【００４３】
また、図２（ｂ）、（ｃ）に示したロック用部材１４の軸部は、中間枠１３内を往復移動する中間枠内移動部１４ｂと、扉と壁側との間をロックするロック部１４ｃとで構成されている。中間枠内移動部１４ｂがロック部１４ｃより細いのは、暗証符号錠１０をよりコンパクトにするためである。暗証符号錠１０が大きさの制限を受けない場合、玄関ドア等の大型のドアに利用されるのではなく、引き違い戸などの小型軽量の開閉戸に利用される場合などでは、中間枠内移動部１４ｂとロック部１４ｃの軸の太さを同じにしてもよい。
【００４４】
上記のスライド板１５及びロック用部材１４は、図３（ａ）〜（ｃ）に示した室外側パネル１１、中間枠１３及び室内側パネル１２で構成された枠内に収められ、また支持されている。図３（ａ）に示したように、室外側パネル１１は、スリット１１ａが形成されたパネル板１１ｂと、スリット１１ａの長さ方向に対して直交する方向に形成された上部溝１１ｃ及び下部溝１１ｄと、中間枠１３と結合するための枠部１１ｅとを含んで構成されている。
【００４５】
上記の上部溝１１ｃ及び下部溝１１ｄは、スリット１１ａの上下に対応する位置に設けられ、図２（ａ）に示したスリット板１５の上部弾性突起１５ｈが上部溝１１ｃに、下部弾性突起１５ｉが下部溝１１ｄに噛み合うようになっている。図３（ａ）には、それぞれ３本の上部溝１１ｃ及び下部溝１１ｄが形成されている場合が例示されており、この場合には、スライド板１５は、スリット１１ａの中央部を中心として、上に１段、下に１段、合計３段だけ移動する。溝の本数がそれぞれ５本の場合には、スライド板１５は、５段だけ移動することになる。したがって、溝の本数は、スライド板１５の端面１５ｂ、１５ｃに表記された符号１５ｄの数に応じて、少なくとも符号の数に設定される。
【００４６】
室外側パネル１１のうち、パネル板１１ｂは、ドア等の室外側に面するものであるので、ステンレス鋼、高強度アルミニウム合金等の堅牢で、見栄えに優れた材料で構成することが好ましい。枠部１１ｅは、中間枠１３との間を結合するために設けられており、例えば、中間枠１３が枠部１１ｅの中に嵌るようにして、両者をねじ止め等により固定してもよい。また、パネル板１１ｂと枠部１１ｅとは一体に成形されたものでもよく、接合されたものでもよい。上部溝１１ｃ及び下部溝１１ｄは、パネル板１１ｂに直接形成してもよいが、上部溝１１ｃ、下部溝１１ｄが形成されたプラスチック材料などの部材を、接着等によりパネル板１１ｂの内側に固定するようにしてもよい。
【００４７】
図３（ｃ）に示した室内側パネル１２も、室外側パネル１１とほぼ同様な構成となっている。スリット１２ａ、パネル板１２ｂ、上部溝１２ｃ、下部溝１２ｄ及び枠部１２ｅを備えており、それぞれの構成は、室外側パネル１１のスリット１１ａ、パネル板１１ｂ、上部溝１１ｃ、下部溝１１ｄ及び枠部１１ｅとほぼ同じである。この室内側パネル１２の内側（上部溝１１ｃ、下部溝１１ｄが形成された側）が、中間枠１３に向くように取り付けられる。なお、室内側パネル１２は、ドア等の室内側に固定されるものであるので、侵入者に破壊される恐れがないので、室外側パネル１１のような強度を必要としない。したがって、プラスチック材料等により、一体的に成形されたものであってもよい。
【００４８】
図３（ｂ）に示した中間枠１３は、室外側パネル１１と室内側パネル１２との間に配置され、スライド板１５が配列されるとともに、スライド板１５に対して直角方向に移動するロック用部材１４を支持する働きをするものである。そのため、中間枠１３は、室外側パネル１１側及び室内側パネル１２側が開口する外枠１３ａと、外枠１３ａ両側の側部１３ｃ、１３ｄにほぼ平行に外枠１３ａ内を仕切る複数の仕切板１３ｂと、外枠１３ａの両側の側部１３ｃ、１３ｄに形成されたロック用部材支持孔１６（側部１３ｃ側のロック用部材支持孔は図４参照）とを備えている。
【００４９】
中間枠１３は、仕切板１３ｂによって、スライド板１５の枚数に応じた数のスライド板収容部１３ｅを備えており、それぞれのスライド板１５は、スライド板収容部１３ｅの中を上下方向に摺動するようになっている。なお、仕切板１３ｂには、外枠１３ａの側部１３ｃ及び１３ｄに設けられているロック用部材支持孔１６間に対応する位置に、ロック用部材１４及びその突起１４ａが通る大きさ、又はそれより十分に大きな開口部（図示されていない）が設けられている。
中間枠１３内におけるスライド板１５とロック用部材１４との組み合わせは、図２（ｃ）に示したとおりである。
【００５０】
中間枠１３は、中間枠１３のそれぞれのスライド板収容部１３ｅにスライド板１５が収容され、ロック用部材１４が中間枠１３を貫通して配置された状態で、室外側パネル１１と室内側パネル１２との間に配置される。このように、組み立てられた状態で、各スライド板１５の上部弾性部材１５ｈは、室外側パネル１１の上部溝１１ｃと室内側パネル１２の上部溝１２ｃとにそれぞれ噛み合わされ、下部弾性突起１５ｉも同様に、室外側パネル１１の下部溝１１ｄと室内側パネル１２の下部溝１２ｄとにそれぞれ噛み合わされる。また、室外側パネル１１のスリット１１ａ及び室内側パネル１２のスリット１２ａから、スライド板１５の位置合わせ用ノブ１５ａが突出しており、それぞれのスリット１１ａ、１２ａから、スライド板１５の端面１５ｂ、１５ｃに表記された符号１５ｄを読み取ることができるようになっている。
【００５１】
実施の形態に係る暗証符号錠１０は、上記のように構成されているので、室外側、室内側の両面から、それぞれの面に突出している位置合わせ用ノブ１５ａを操作し、暗証符号の位置合わせを行うことが可能である。また、施錠時には暗証符号が第三者に読み取られないように、スライド板１５のリセットを行うことができる。さらに、室外側と室内側の両面で、同じ暗証符号で解錠を行うことができる。ただし、暗証符号の並べ方は、暗証符号錠１０が、スライド板１５が縦に往復移動するように取り付けられている場合には、室外側と室内側では逆の順序となる。すなわち、横向きに並ぶ暗証符号が、室外側と室内側とでは左右が逆になる。
【００５２】
上記のように、スライド板１５の端面１５ｂ、１５ｃに表記される符号１５ｄには、数字以外の文字を用いることができる。例えば、スライド板１５が５枚で、それぞれの端面１５ｂ、１５ｃに、室外側から見て、あ行、あ行、さ行、か行、は行の順に並んでいる場合には、例えば、「おおさかふ」という「言葉」の暗証符号を用いることができる。ただし、各スライド板１５に表記される文字数が少ない場合には、暗証符号の選択数が制限される。したがって、スライド板１５の端面１５ｂ、１５ｃに表記される符号１５ｄは、できるだけ多い方がよい。
【００５３】
図２（ａ）に示したように、スライド板１５には、スライド板着脱用開口部１５ｇが設けられているので、図２（ｃ）の状態でスライド板１５とロック用部材１４とが組み合わされている場合でも、図２（ｃ）の状態からスライド板１５を下げた位置で、ロック用部材１４からスライド板１５を外すことができる。室内側パネル１２は、中間枠１３との着脱が可能又は開閉可能であるので、スライド板１５を簡単に交換することができる。したがって、スライド板１５の並べ替えが可能である。さらに、表記された符号（文字）が異なるいくつかのスライド板１５を準備しておいた場合には、必要なスライド板１５に交換することにより、様々な暗証符号を選び、変更することが可能である。
【００５４】
図５は、実施の形態２に係る暗証符号錠２０におけるスライド板のリセット機構の１例を示す斜視図であり、（ａ）は開閉蓋を開けた状態、（ｂ）は開閉蓋を閉じた状態を示している。暗証符号錠２０は、室外側パネル１１の前面に、室外側パネル１１を覆う開閉蓋２１を備えている。この開閉蓋２１は、室内側パネル１１を保護する役目と同時に、暗証符号をリセットする駆動源としての作用を有している。すなわち、開閉蓋２１は、開閉動作に連動して、暗証符号に位置合わせされたスライド板１５を移動させることにより、暗証符号に位置合わせされた状態が残らないようにする駆動源となっている。
【００５５】
図５に示したように、開閉蓋２１の開閉軸２１ｂの近傍の側部２１ａに回転軸２３を備え、駆動バー２５の一端が回転軸２３に回転自在に軸支されている。駆動バー２５は、中間枠１３に固定された支持軸２４に軸支されるとともに、駆動バー２５の他端側は、連結支点２６で、伝達バー２７の一端側と回転自在に連結されている。伝達バー２７の他端側は、リセット板２２の支持軸２２ａに回転自在に軸支されている。図示されていないが、同様な機構が中間枠１３の奥側（開閉蓋に向かって左側）にも設けられている。また、リセット板２２は、ほぼ中間枠１３の幅に相当する長さであり、図示されていない側でも同様に支持されている。さらに、中間枠１３の下部には、リセット板２２が入る溝１３ｆが形成され、図示されていないが、中間枠１３内の仕切板１３ｂにも、同様な溝が形成されている。
【００５６】
図５（ａ）に示したように、開閉蓋２１を開いた状態では、リセット板が下がっているので、中間枠１３内のスライド板１５を自在に往復（上下）移動させることができる。したがって、暗証符号に位置合わせする操作などを自由に行うことができる。図５（ｂ）に示したように、開閉蓋２１を閉じるとリセット板２２が引き上げられるので、中間枠１３内のすべてのスライド板１５が同じ位置まで押し上げられ、リセットされる。そのために、暗証符号に位置合わせされていたスライド板１５の位置、すなわち暗証符号が分からないようになる。
【００５７】
暗証符号錠１０、２０の場合、暗証符号に位置合わせし、解錠又は施錠した後には、操作した人が必ずスライド板１５の位置をずらすことにより、暗証符号が分からないようにすることが原則である。しかし、その操作を忘れる場合があることも考慮する必要がある。暗証符号錠２０の場合には、上記のように開閉蓋２１を閉じることにより、スライド板１５の位置がリセットされるので、スライド板１５が暗証符号の位置でそのまま放置されることがなく、より安全性が向上する。
【００５８】
また、図５に示した実施の形態では開閉蓋２１とリセット板２２が別体となっているが開閉蓋２１をスライド式とし、開閉蓋２１の裏側にリセット板２２を一体化させた構成であってもよい。
また、開閉蓋２１の裏側に開閉蓋２１の開閉に連動してＯＮ・ＯＦＦする照明機構（発光ダイオードと電池からなる等）が添設されていてもよい。
なお、図５には、スライド板１５のリセット機構の１例を示したが、リセット機構には、機械的、電気的ないくつかの機構があり、それらのタイプを利用することもできる。
【００５９】
図６は、実施の形態３に係る符号付回転板型の暗証符号錠３０の外観を示す斜視図である。また、図７は、暗証符号錠３０の本体部に収められている部材を示す斜視図であり、（ａ）は符号付回転板、（ｂ）は符号付回転板とロック用部材とが組み合わされた状態を示している。さらに、図８は、図６に示した暗証符号錠３０の断面図であり、（ａ）はVIIIａ-VIIIａ’切断線、（ｂ）はVIIIｂ-VIIIｂ’切断線における断面構造を示している。
【００６０】
図６〜８に示したように、暗証符号錠３０は、室外側開口部３１ａ、室内側開口部３１ｂを備えた円筒状のケーシング３１と、ケーシング３１の中に配列されており、ケーシング３１内の中心軸であるロック用部材３４回りに回転し、外周面に符号が表記された複数の符号付回転板（以下、回転板と略記する）３５とを含んで構成されている。また、複数の回転板３５が暗証符号通りに位置した時に、ロック用部材３４が、回転板３５を貫通し、回転板３５に対してほぼ直交する方向に移動可能なように構成されている。ケーシング３１の室外側開口部３１ａ及び室内側開口部３１ｂには、複数の回転板３５の外周面が並んで位置しており、回転板３５を手動で回転させることができるようになっている。
【００６１】
ロック用部材３４は、一列に並んだ複数の突起３４ａを備え、複数の突起３４ａの間隔は、回転板３５が配列された間隔に対応しており、ロック用部材の突起３４ａが、回転板３５によって係止されることによって、ロック用部材３４の移動が阻止されるように構成されている。
【００６２】
それぞれの回転板３５は、ロック用部材３４が貫通する貫通孔３５ｅに開口し、回転板３５の外周面３５ｂに等間隔に設けられた複数の符号３５ｄのうちのいずれかに対応する位置に、ロック用部材３４の突起３４ａが通る大きさの解錠用開口部３５ｆ、及び貫通孔３５ｅの中心軸を挟んで解錠用開口部３５ｆに対向する位置に、ロック用部材３４の突起３４ａが通る大きさの解錠用開口部３５ｇを備えている。
上記のように構成されているので、暗証符号錠３０では、複数の回転板３５のうち、暗証符号に対応する位置に、位置合わせされていない回転板３５によってロック用部材３４の突起３４ａが係止され、ロック用部材３５の移動が阻止されるようになっている。
【００６３】
ケーシング３１の室外側開口部３１ａ及び室内側開口部３１ｂには、回転板３５の一部が露出しており、回転板３５の符号３５ｄが表記された外周面３５ｂには、位置合わせ用ノブ３５ｃが設けられている。したがって、室外側及び室内側の両側で、位置合わせ用ノブ３５ｃを指先で操作することにより、回転板３５の外周面３５ｂに表記された符号３５ｄの位置合わせを行うことができるようになっている。
【００６４】
また、図６、図８に示したように、ケーシング３１の側面３１ｃ、３１ｄのほぼ中央部には、ロック用部材３４を支持するロック用部材支持孔３６が形成されている。さらに、側面３１ｃ側のロック用部材支持孔３６には、後に説明するロック用部材３４に設けられた突起が通る溝３６ａが形成されている。ロック用部材３４は、ケーシング３１の側面３１ｃ、３１ｄに設けられた２つのロック用部材支持孔３６に支持されて、安定して往復移動するようになっている。以下、各部材及び全体の構成について、さらに詳しく説明する。
【００６５】
回転板３５は、図７（ａ）に示したように、全体的には円板形状であり、外周面３５ｂには、複数の位置合わせ用ノブ３５ｃが形成されており、その間に符号３５ｄが表記されている。符号３５ｄは、外周面３５ｂにほぼ等間隔に表記されており、数字、アルファベット、ひらがな、カタカナなど、暗証符号に用いることができるものであれば、どのような符号でもよい。回転板３５は、外周面３５ｂの長さが比較的長いので、ひらがな、カタカナ、アルファベットなどそれぞれの種類について、全文字を表記することが可能である。その場合には、回転板３５の枚数分の文字で構成される言葉、単語などの暗証符号を任意に選び、使用することができる。
【００６６】
例えば、アルファベットであればＡ〜Ｚの２６文字であるので、回転板３５の直径を５０ｍｍとすると、１文字の間隔は約６ｍｍとなる。回転板３５の厚みを５ｍｍとすると、縦横５ｍｍ程度の枠に入る大きさの文字が表記される。縦横５ｍｍの大きさの文字であれば、十分に読み取ることができる。
【００６７】
ひらがな又はカタカナの場合には、全文字を使うとすると、あ行〜ま行及びら行の４０文字、や行の３文字（や、ゆ、よ）、わ行の１文字（わ）と「ん」、その他濁音の「”」、破裂音の「°」など、４５文字と２つの記号を表示する４７の枠が必要となる。上記のように、回転板３５の直径を５０ｍｍ、厚みを５ｍｍとすると、縦約３ｍｍ、横約５ｍｍの大きさの文字となる。この大きさでも、読み取ることはできるので、上記の４７文字（記号をふくむ）を、回転板の外周面３５ｂに表記するようにしてもよい。
【００６８】
ただし、その場合には、貫通孔３５ｅに開口する解錠用開口部３５ｆ、３５ｇの開口幅が狭くなり、それに応じてロック用部材３４の突起３４ａの周方向の長さを短くする必要がある。例えば、貫通孔３５ｅの直径を２５ｍｍとすると、解錠用開口部３５ｆ、３５ｇの開口幅は、約１．７ｍｍ以下となる。解錠用開口部３５ｆ、３５ｇの開口幅を広くするためには、２文字、例えば「あ」と「い」を１つの文字枠に含めて「あ／い」という表示にするのがよい。そのほかに、比較的多く使用される文字、２５文字程度を選択して表示するようにしてもよい。
【００６９】
回転板３５の外周面３５ｂに、上記のような文字表記を行うことにより、回転板の枚数に応じた文字数の単語、言葉などを暗証符号として用いることができる。アルファベットであれば、英語の単語やローマ字で表記した日本語を暗証符号とすることができ、ひらがなやカタカナであれば日本語の言葉、例えば、「あさがお」、「こうのとり」などの名詞、「かえったよ」、「こんにちは」などの会話調の言葉を暗証符号とすることができる。むろん、数字を暗証符号にすることもできるが、言葉の方が覚えやすく、特に年配者などには暗証符号を抵抗なく受け入れてもらえる可能性が高いので、より多くの人が暗証符号錠３０を利用することができる。
【００７０】
また、回転板３５には、上記のように、ロック用部材３４の突起３４ａが通る大きさの解錠用開口部３５ｆと３５ｇとが、貫通孔３５ｅの中心軸を挟んで相互に対向する位置に設けられている。仮に、解錠用開口部が符号３５ｆで示した１つだけであり、回転板３５の外周面３５ｂにはハイフンを含むアルファベット２７文字が等間隔に表記されているとする。解錠用開口部３５ｆに対応する位置の符号がアルファベットの「Ａ」とし、この符号が室内側で位置合わせされた場合、室外側の位置合わせ部には、アルファベットの「Ｌ」が位置する。すなわち、この場合には、室外側と室内側とでは、同じ暗証符号を用いることができない。
【００７１】
しかし、上記のように、貫通孔３５ｅの中心軸を挟んで相互に対向する位置に、それぞれ解錠用開口部３５ｆと３５ｇが設けられている場合には、室外側であっても、室内側であっても、同じ暗証符号で、解錠用開口部３５ｆ又は３５ｇとロック用部材３４の突起３４ａとの位置合わせを行うことができる。すなわち、室外側であっても、室内側であっても、解錠、施錠時に、同じ暗証符号を用いることができる。このように、回転板３５を用いる暗証符号錠３０の場合であっても、貫通孔３５ｅの中心軸を挟んで相互に対向する位置に、それぞれ解錠用開口部３５ｆと３５ｇとを設けることによって、室外側と室内側とで、同じ暗証符号によって解錠及び施錠ができるという、極めて大きな効果が得られる。
【００７２】
ロック用部材３４には、図７（ｂ）、図８（ｂ）に示したように、一列に並んだ突起３４ａが設けられており、突起３４ａの間隔は回転板３５が配列された間隔に対応している。また、ロック用部材３４の突起３４ａの数は回転板３４の枚数に対応しており、各突起３４ａは、回転板３５の間、又は外側に並べられた回転板３５の外側に位置するようになっている。ロック用部材３４の突起３４ａが、隣り合う回転板３５の間、又はロック用部材３４の移動方向に対する回転板３５の後ろ側に位置している時に、すべての回転板３５が暗証符号に位置合わせされた場合、すなわち、回転板３５の解錠用開口部３５ｆ又は３５ｇが、ロック用部材３４の突起３４ａの位置に対応するように一列に並べられた場合（すべての回転板３５が、図７（ｂ）に示した状態）に、ロック用部材３４が回転板３５に対してほぼ直交する方向に移動可能になっている。
【００７３】
一方、ロック用部材３４の突起３４ａが、隣り合う回転板３５の間、又はロック用部材３４の移動方向に対する回転板３５の後ろ側に位置している時に、少なくとも１枚の回転板３５が暗証符号に位置合わせされていない場合には、ロック用部材３４の突起３４ａの移動が暗証符号に位置合わせされていない回転板３５によって係止され、ロック用部材３４の移動が阻止されるように構成されている。
【００７４】
上記の回転板３５は、図６に示したように、ケーシング３１の中に収められており、ケーシング３１の室外側の開口部３１ａ及び室内側の開口部３１ｂから、回転板３５の外周面３５ｂの一部が露出しており、回転板３５を指先などで操作できるようになっている。回転板３５の外周面３５ｂのうち、露出部の割合は、開口部３１ａ、３１ｂのいずれにおいても、１／６〜１／４程度、中心を基準とする角度では、６０°〜９０°程度が好ましい。露出部が少なすぎる場合には、回転板３５を回転させにくく、露出部が多すぎる場合には、ケーシング３１の支持構造等の機構に支障をきたす。
【００７５】
ケーシング３１は、図６に示したように、側面３１ｃ、３１ｄに設けられた２つのロック用部材支持孔３６により、ロック用部材３４を支持するとともに、それぞれの回転板３５の回転を支持する働きも有している。すなわち、回転板３５は、ロック用部材３４を回転軸として回転するようになっているが、回転板３５の厚さは、回転板３５の径に対して小さいので、回転が安定しにくい。そのために、図８（ａ）に示したように、ケーシング３１の外周枠３１ｅの内側の円周方向に、隣り合う回転板３５の間に対応する位置に支持突起３１ｆを設け、支持突起３１ｆによって、回転板３５の外周部の側面３５ｈが支持されるようになっている。支持突起３１ｆの長さ（ケーシング３１の外周枠３１ｅの内面から中心方向への長さ）は、回転板３５の厚さに支障がない場合には、必要に応じて長くしてもよい。
【００７６】
なお、回転板３５は、上記の支持突起３１ｆと回転板３５の側面３５ｈとの間の回転方向に直交する方向の支持のほか、位置合わせノブ３５ｃの外周面と外周枠３１ｅの内面との間で、半径方向の支持が行われるようにしてもよい。
【００７７】
ケーシング３１は、ロック用部材３４及び回転板３５を支持するものであるので、強度があるもので、さらに侵入者などに破壊されにくいものであることが好ましい。また、ロック用部材３４及び回転板３５も、強度がある材料で形成されていることが好ましい。したがって、ケーシング３１、ロック用部材３４には、ステンレス鋼、高強度のアルミニウム合金などの金属材料が好適である。その他、強度の高いエンジニアリングプラスチックなどを用いてもよい。また、回転板３５も、ある程度の強度が必要であるので、上記の金属材料、エンジニアリングプラスチック又はそれら材料を組み合わせて用いることが好ましい。
【００７８】
実施の形態３に係る暗証符号錠３０は、上記のように構成されているので、室外側、室内側の両面から、回転板３５の位置合わせ用ノブ３５ｃを操作し、暗証符号の位置合わせを行うことが可能である。また、施錠時には暗証符号が第三者に読み取られないように、回転板３５を回してリセットを行うことができる。また、室外側と室内側の両面で、同じ暗証符号で解錠を行うことができる。ただし、暗証符号の並べ方は、暗証符号錠３０が横向きで用いられる場合には、室外側と室内側とでは、左右の順序が逆である。
図９は、暗証符号錠３０に用いられる回転板３５を分解して示す斜視図であり、（ａ）は符号リング、（ｂ）は支持円板を示している。なお、回転板３５の全体の構成は図７（ａ）に、断面の構造は図８に示した。
【００７９】
回転板３５は、符号リング３８及び支持円板３７によって構成されており、符号リング３８は、支持円板３７の外周面３７ａに摺動可能に嵌め合わされている。支持円板３７は円板状で、中心部には、ロック用部材３４が貫通する貫通孔３５ｅ及び貫通孔３５ｅに開口する解錠用開口部３５ｆ、３５ｇが形成されている。支持円板３７の厚さは、図８に示したように、符号リング３８の幅（厚さ）より薄く、隣り合う支持円板３７の間に、ロック用部材３４の突起３４ａが入るようになっている。また、支持円板３７の外周面３７ａには、符号リング３８に表記されている符号３５ｄの間隔に対応する位置に、ねじ穴３７ｃが形成されている。
【００８０】
符号リング３８には、外周面３５ｂに位置合わせ用ノブ３５ｃが形成されており、等間隔に符号３５ｄが表記されている。この符号リング３８は、支持円板３７の厚さより幅が広く、図９（ａ）に示したように、内周側に支持円板３７が嵌る凹部３８ａが形成されている。また、符号リング３８には、複数の符号を隔てた位置に、貫通孔３８ｂが設けられている。この貫通孔３８ｂを利用して、ねじ（図示省略）を通し、支持円板３７の外周面に開口しているねじ穴３７ｃにねじ止めすることによって、支持円板３７に符号リングを固定することができるようになっている。なお、貫通孔３８ｂは、回転板３５を操作した時に、ケーシング３１の開口部３１ａ又は３１ｂに、少なくとも１つが現れるようにすればよい。
【００８１】
回転板３５は、上記の符号リング３８と支持円板３７とで構成されているので、ねじを外すことにより、符号リング３８と支持円板３７との位置関係、すなわち、回転板３５の外周面３５ｂに表記されている符号３５ｄと支持円板３７に形成されている解錠用開口部３５ｆ、３５ｇとの位置関係を変更することができる。また、変更後、その位置関係をねじにより固定することができる。したがって、暗証符号錠３０を構成するそれぞれの回転板３５に対して設定する暗証符号を容易に変更することができる。
【００８２】
図１０は、別の実施の形態に係る回転板を示す斜視図であり、（ａ）は一体型の回転板３５Ａの例、（ｂ）は回転板３５Ａとロック用部材３４とが組み合わされた状態を示している。
図１０（ａ）に示したように、回転板３５Ａは一体型となっている。一体型の回転板３５Ａの場合には、側面３５Ａ−１は平板状であり、外周部が、ケーシング３１の支持突起３１ｆの間に入り、ケーシング３１の支持突起３１ｆにより、回転板３５Ａの回転方向に直交する方向の支持が行われるようになっている。このように、回転板３５Ａは、シンプルな構造となっている。図６〜図９には、それぞれの符号付回転板に対して設定する暗証符号を変更することができる回転板３５の例を示した。しかし、回転板３５に表記される文字数が多い場合には、各回転板３５に設定する暗証符号が、必ずしも変更可能でなくてもよい。そのような場合には、回転板３５Ａを用いることにより、暗証符号錠３０の価格をより安くすることができる。
【００８３】
図１１は、さらに別の実施の形態に係る回転板３５Ａを示す斜視図である。図１１に示したように、回転板３５Ａの場合には、位置合わせ用ノブ３５ｃが、いくつかの符号を隔てて、不規則な間隔で形成されている。位置合わせ用ノブ３５は、回転板３５Ａを操作する時に、ケーシング３１の開口部３１ａ、３１ｂに、少なくとも１つ現れるようになっていればよい。また、位置合わせ用ノブ３５ｃの間隔は、等間隔である必要はなく、上記のように不規則になっている。位置合わせ用ノブ３５ｃが複数の符号を隔てて設けられ、さらに、間隔が不規則である場合には、次に説明するように、施錠後の回転板３５Ａの自動リセットに極めて好都合である。
【００８４】
図１２は、実施の形態４に係る暗証符号錠４０の構成を示す斜視図である。また、図１３は、暗証符号錠４０の本体部を示す斜視図、図１４は、開閉蓋と駆動アームとリセットバーの動きの関係を説明する図、図１５は、リセットバーの動きと位置合わせ用ノブの動きとの関係を示す図である。
【００８５】
図１２に示したように、暗証符号錠４０は、室外側開口部３１ａの前面に室外側開口部３１ａ及び回転板３５Ａを覆う開閉蓋４１を備えている。この開閉蓋４１は、回転板３５Ａのうち、室外側に露出している部分を保護する役目と同時に暗証符号をリセットする駆動源としての働きを持っている。すなわち、開閉蓋４１は、開閉動作に連動して、暗証符号に位置合わせされたそれぞれの回転板３５Ａをランダムに回転させることにより、暗証符号に位置合わせされた状態が残らないようにする駆動源として作用する。
【００８６】
暗証符号錠４０の本体部３０Ａは、実施の形態３に係る暗証符号錠３０とほぼ同様である。ただし、回転板が図１１に示した３５Ａのタイプであること、ケーシング３１Ａの側面３１ｃ、３１ｄの上部に、リセットバーガイド溝４４が形成されていること、その上部に駆動アーム支持部４５が形成されている点が相違している。また、駆動アーム支持部４５には、駆動アーム回転軸４５ａが設けられている。
【００８７】
開閉蓋４１は、開閉軸４１ａが開閉蓋４１の上端近傍に位置し、開閉軸４１ａが扉等に固定され、開閉軸４１ａを中心に上下方向に開閉することができるようになっている。開閉軸４１ａの下方に、連結軸４１ｂが設けられ、連結軸４１ｂに、駆動アーム４２の一端側に形成されたスリット状の連結孔４２ａが嵌め合わされている。
【００８８】
駆動アーム４２は、図１２、１４に示したように、例えば、全体の形状がほぼＬ字形であり、Ｌ字形の角部に回転軸孔４２ｃ、開閉蓋４１側との連結部にスリット状の連結孔４２ａ、リセットバーとの連結部にスリット状の連結孔４２ｂが形成されている。この駆動アーム４２は、回転軸孔４２ｃがケーシング３１Ａの駆動アーム支持部４５の駆動アーム回転軸４５ａに回転可能に軸支され、スリット状の連結部４２ｂが開閉蓋４１の連結軸４１ｂに嵌め合わされている。さらに、スリット状の連結孔４２ｂに、リセットバー４３の支持部４３ａが嵌め合わされている。この駆動アーム４２は、開閉蓋４１の両側、すなわち、ケーシング３１Ａの両側に設けられている。
【００８９】
リセットバー４３は、回転板３５の上方に、回転板３５の回転軸にほぼ平行に位置しており、両方の支持部４３ａがリセットバーガイド溝４４に通され、その外側でさらに駆動アーム４２の連結孔４２ｂに通されている。したがって、リセットバー４３は、開閉蓋４１の開閉に伴う駆動アーム４２の動きによって、リセットバーガイド溝４４に沿って往復動するようになっている。
【００９０】
次に、図１２及び図１４を参照し、開閉蓋４１、駆動アーム４２及びリセットバー４３の動きの関係を説明する。開閉蓋４１の開閉軸４１ａは扉等に固定されているので、開閉軸４１ａの位置は移動しない。開閉蓋４１が開かれる場合には、開閉蓋４１の連結軸４１ｂは、図１４（ａ）に点線で示したように、開閉蓋４１の開閉に伴ってほぼ半円を描く動きをする。駆動アーム４２は、連結軸４１ｂの動きに伴い、ケーシング４１に設けられた駆動アーム支持部４５の駆動アーム回転軸４５ａを中心に回転する。すなわち、駆動アーム４２は、図１４に示したように、（ａ）の位置から、（ｂ）を経て（ｃ）に示した位置まで回転する。したがって、駆動アーム４２の連結孔４２ｂに通されているリセットバー４３の支持部４３ａは、リセットバーガイド溝４４に沿って、図１４（ａ）に示した一点鎖線のように移動する。開閉蓋４１が閉じられる時には、その逆の動きとなる。
【００９１】
図１５は、リセットバー４３の動きと回転板３５Ａの位置合わせノブ３５ｃの動きの関係を模式的に示す側面図である。リセットバー４３の下端側（位置合わせノブ３５ｃ側）の端部の軌跡は、一点鎖線で示されている。一方、位置合わせノブ３５ｃの頂部の軌跡は、点線で示されている。符号Ｘ１とＸ２の間では、リセットバー４３によって位置合わせノブ３５ｃが動かされ、Ｘ１及びＸ２の外側、例えば、Ｙ１、Ｙ２の位置にある位置合わせノブ３５ｃは、リセットバー４３が移動しても移動の影響を受けることがない。すなわち、リセットバー４３がＸ１からＸ２に向けて動く場合には、その間に位置している位置合わせノブ３５ｃは、Ｘ２の位置まで動かされ、リセットバー４３がＸ２からＸ１に向けて動く場合には、Ｘ１の位置まで動かされる。
【００９２】
ここで、各回転板３５Ａの位置合わせノブ３５ｃは、符号すべてに対応しているのではなく、間隔を隔てて形成されている。したがって、回転板３５Ａ毎に、リセットバー４３によって回転させられる程度が相違する。そのために、暗証符号にセットされた状態で、すべての回転板３５が同じように移動することがないので、暗証符号がいっそう分かりにくくなる。
【００９３】
開閉蓋４１が開の状態又は閉の状態にある場合には、リセットバー４３はＸ１又はＸ２の外側に位置するようになっているので、回転板３５Ａはリセットバー４３に影響を受けることなく回転するようになっている。また、開閉蓋４１を開けた状態で暗証符号にセットされた後、開閉蓋４１が閉じられると、リセットバー４３によってＸ１とＸ２の間に位置する位置合わせノブ３５ｃが動かされ、回転板３５Ａがそれぞれの回転板３５Ａ毎に異なる回転をするので、暗証符号に位置合わせされた状態で放置されることがないと同時に、暗証符号が分からなくなるようになっている。
なお、実施の形態４に係る暗証符号錠４０の場合には、開閉蓋４１の開閉によってリセットする機構の例を示したが、リセット機構には、機械的、電気的ないくつかの機構があり、それらのタイプを利用することもできる。
【００９４】
図１６は、実施の形態５に係る暗証符号錠に用いられるロック用部材とロック用部材の突起の外観を示す斜視図である。実施の形態５に係る暗証符号錠は、暗証符号錠により扉等をロックする際に、回転板３５、３５Ａを暗証符号に位置合わせすることなく、ロック用部材をロック位置（施錠位置）に移動させることができるようになっている。
【００９５】
ロック用部材５１は、ロック用部材本体部５２と突起部材５３とが組み合わされた構造となっており、突起部材５３が中空のロック用部材本体部５２の中に組み込まれ、突起５３ａが、ロック用部材本体部５２の突起孔５２ａ部で出入り自在となっている。すなわち、突起部材５３は、ロック用部材本体部５２の中に、それぞれの突起５３ａが突起孔５２ａに対応する位置に配置されている。また、ロック用部材本体部５２には、突起孔５２ａが形成された領域及びそのやや端部側に、図１６（ｂ）に示したように、電極５２ｂ、５２ｃが設けられている。
【００９６】
突起部材５３は、突起板５３ｂが２本の支持棒５４によって上下動可能に支持され、支持棒５４はコイルバネ５５の中に位置している。突起板５３ｂの底部側には、鉄、ニッケル等の強磁性材料５３ｃが固定されており、磁力が作用した際には、突起板５３ｂが、コイルバネに抗して下方に引き寄せられるように構成されている。強磁性材料５３ｃの下方には、電磁石５６が配置されており、コイル５６ａに電流を流すことにより、軟磁性材料５６ｂに磁力が発生するようになっている。したがって、コイル５６ａに電流が流されると、突起部材５３が引き寄せられ、突起５３ａが、突起孔５２ａ内に引き込まれる。
コイル５６ａのリード線Ｌ１、Ｌ２は、それぞれロック用部材本体部５２の電極５２ｂ、５２ｃに接続されており、電極５２ｂ、５２ｃを介して電力が供給される。
【００９７】
図１７は、実施の形態５に係る暗証符号錠５０における電極５２ｂ、５２ｃへの電力供給とロック用部材５１の動きとの関係を示す斜視図であり、（ａ）はロック用部材５１が解錠の位置、（ｂ）はロック用部材５１が施錠の位置にある状態を示している。図１７（ａ）に示したように、ロック用部材本体部５２に設けられた電極５２ｂ、５２ｃには、電源及びスイッチに接続されたブラシ５７ａ、５７ｂが接触するようになっている。ここで、図示していないが、スイッチは、開閉蓋（暗証符号錠４０の場合は符号４１）を開いた状態でオンとなり、閉めた状態でオフになるように設定され、電源としては、乾電池などの電池が用いられている。
【００９８】
図１７（ａ）に示した解錠の状態にある時には、電極５２ｂ、５２ｃとブラシ５７ａ、５７ｂとがそれぞれ接触している。したがって、開閉蓋４１が開かれてスイッチオンとなり、電源から電力が供給されると、突起部材５３が電磁石５６側に引き寄せられ、突起５３ａがロック用部材本体部５２から出ていない状態になる。その時には、ロック用部材５１を施錠位置へ自由に移動させることができる。ロック用部材５１が施錠位置に移動すると、図１７ｂに示したように、電極５２ｂ、５２ｃの位置がブラシ５７ａ、５７ｂから外れ、電力の供給が遮断される。それと同時に、突起板５３がコイルバネ５５に付勢されて元の位置に戻り、突起５３ｃがロック用部材本体部５２から突出する。それぞれの突起５３ａが各回転板３５、３５Ａの間に入り、暗証符号錠がロックされた状態となる。
【００９９】
上記のように、実施の形態５に係る暗証符号錠は、施錠する際に、開閉蓋４１を開けることにより、ロック用部材５１を自由に移動させることができる。施錠する際に、回転板３５、３５Ａを暗証符号に位置合わせすることなく、ロックすることができるので、施錠操作が極めて簡単である。さらに、施錠された状態では、開閉蓋４１を開けただけでは、突起５３ａがロック用部材５１の内側に引き込まれることがない。そのため、暗証符号に位置合わせしない限り解錠できないので安全である。
【０１００】
なお、上記の施錠時に突起５３ａが内側に引き込まれるようにする機構は、すべての回転板型の暗証符号錠に適用可能であることはもとより、実施の形態１及び２に係るスライド板型の暗証符号錠１０、２０にも適用可能である。また、突起を出入させる機構は、上記の実施の形態５に係る機構に限定されるものではなく、別の機構であってもよい。
【０１０１】
図１８は、実施の形態６に係る暗証符号錠６０を示す斜視図であり、（ａ）は暗証符号錠６０を構成する部材を分解して示す図、（ｂ）は施錠された状態を示す図である。なお、暗証符号錠６０は、片面から手動で操作するタイプであり、主に室内側に取り付けて用いられる錠である。
【０１０２】
暗証符号錠６０は、デッドボルト６４を備えた暗証符号キー部材６１と、キーブロック６５と、かんぬき部材６６と、暗証符号キー部材６１、キーブロック６５及びかんぬき部材６６を収納し、保持する前面パネル６２とを含んで構成され、裏側は必要に応じて背面パネル６３で塞がれるようになっている。
【０１０３】
暗証符号キー部材６１には、仕切板６１ａによって平行に仕切られた複数のキーブロック用溝６７が形成されており、キーブロック用溝６７にキーブロック６５が摺動可能に嵌められている。また、それぞれの仕切板６１ａには、前面パネル６２の前面に、キーブロック用溝６７に沿って表記された暗証符号用の文字のいずれかに対応する位置に、キーブロック６５が通る幅の開口部６１ｂが形成されている。さらに、暗証符号キー部材６１の上部又は下部には、キーブロック用溝６７に対してほぼ直交する方向に突出して、デッドボルト６４が固定されている。
【０１０４】
前面パネル６２には、キーブロック用溝６７に対応する位置にスリット６２ａが形成されており、それぞれのスリット６２ａの外側に、内側のキーブロック６５に連結された位置合わせ用ノブ６５ａが取り付けられている。また、それぞれのスリット６２ａの上又は下には、暗証符号用の文字が表記されている。
【０１０５】
上記のように構成された暗証符号錠６０は、位置合わせ用ノブ６５ａによって、複数のキーブロック６５が、すべて暗証符号に位置合わせされた時に解錠され、暗証符号キー部材６１が仕切板６１ａの間隔だけ移動するようになっている。デッドボルト６４の軸方向の移動は、デッドボルト操作ノブ６４ａを操作することによって行われる。なお、図１８（ａ）には、キーブロック６５及び位置合わせ用ノブ６５ａは、図面を簡単化するため、１組のみを図示した。
【０１０６】
暗証符号錠６０の場合には、図１８（ｂ）に示したように、例えば、２枚の引き違い戸（図示省略）が重なる枠部に、２枚の引き違い戸の動きを阻止するかんぬき部材６６が挿入され、かんぬき部材６６に形成されているデッドボルト受け部６６ａにデッドボルト６４が挿入されるようになっている。デッドボルト６４によって、かんぬき部材６６の動きが阻止され、位置合わせ用ノブ６５ａが操作されて、キーブロック６５が暗証符号に位置合わせされない限り解錠されないようになっている。
【０１０７】
実施の形態１〜５に示した暗証符号錠１０、２０、３０、３０Ａ、５０は、いずれもロック用部材１４、３４、５１が水平方向に移動する横型の例を図示したが、実施の形態６に係る暗証符号錠６０の場合と同様に、縦型で使用することもできる。また、暗証符号錠１０、２０、３０、３０Ａ、５０については、室外側と室内側の両面から操作するタイプとして説明したが、片面側をドア、窓枠等に埋め込み、もう一方の片面が室内側又は室外側に位置するようにして、片面操作タイプの暗証符号錠として利用することもできる。
【０１０８】
図１９及び図２０は、暗証符号錠１０、２０、３０、３０Ａ、５０、６０との組み合わせで用いられるロック部の構成例を示す図である。図１９は、勝手口などのドアに暗証符号錠（例えば、暗証符号錠１０）を埋め込み、縦型で使用する例を示す模式的断面図であり、（ａ）は解錠状態、（ｂ）は施錠状態を示している。また、図２０は、引き違い戸に用いられているクレセント型の錠に暗証符号錠（例えば、暗証符号錠１０）を適用する例を示す模式的断面図であり、（ａ）は解錠状態、（ｂ）は施錠状態を示している。
【０１０９】
図１９に示したロック部は、例えば暗証符号錠１０と、ロックバー７１及びその収容部７２と、ロックバー受け部７３とを含んで構成されている。暗証符号錠１０は、操作面が室内側に向くようにドア７４に埋め込まれている。暗証符号錠１０のロック用部材１４の下方に、ロックバー受け部７３が配置されており、ロックバー受け部７３には、ロック用部材１４が嵌る大きさの貫通孔７３ａが形成されている。また、ドア７４の外枠７５のロックバー受け部７３に対応する位置に、ロックバー７１の収容部７２が取り付けられており、その中にロックバー７１が収められている。
【０１１０】
また、ロックバー７１には、先端側に貫通孔７１ａが形成されており、図示していないが、ロックバー７１を操作するノブがドア７４の室内側及び／又は室外側に突出している。ドア７４が閉まっている状態では、ロックバー７１は、ロックバー受け部７３のロックバー７１に対応する位置に形成されている開口部７３ｂから、ロックバー受け部７３内に挿入されるようになっている。さらに、ロックバー７１がロックバー受け部７３に挿入された状態で、暗証符号錠１０を施錠状態にすると、ロック用部材１４が下降して、ロックバー７１の貫通孔７３ａに嵌るようになっている。
【０１１１】
ドア７４と外枠７５との間のロック部は、上記のように構成されているので、いったん施錠されると、暗証符号錠１０が解錠されない限りドア７４をあけることができない。なお、上記のロックバー７１には、フランジ部７１ａが設けられており、ロックバー７１によって、ドア７４と外枠７５との間が安定して、閉鎖された状態を維持することができるようになっている。
【０１１２】
図２０に示したロック部は、引き違い戸のクレセント型の錠に暗証符号錠が適用される場合の例であり、例えば暗証符号錠１０と、半円型のフック８１と、フック受け部８２と、暗証符号錠１０のロック用部材１４との間がカム機構８３によって連結されたプッシュ部材８４とを含んで構成されている。暗証符号錠１０からフック８１までは、内側の引き違い戸の枠部８５に固定され、フック受け部８２は外側の引き違い戸の枠部８４に固定されている。なお、暗証符号錠１０は、操作面が室内側に向けて取り付けられている。また、フック８１は、支点８１ａを中心に回転自在に支持されている。
【０１１３】
施錠する場合には、暗証符号錠１０のロック用部材１４を下降させ、カム機構８３を介してプッシュ部材８３によりフック８１を押し、フック８１をフック受け部８２に押し込み、施錠するようになっている。
２枚の引き違い戸のロック部は、上記のように構成されているので、いったん施錠されると、暗証符号錠１０が解錠されない限り、フック８１をフック受け部８２から引き抜くことができない。したがって、ガラス戸のクレセント型錠部近傍が割られても、引き違い戸を開けることができないので、防犯上極めて有効である。
【０１１４】
図２１は、実施の形態７に係る防犯戸システム９０の全体構成を示す斜視図である。防犯戸システム９０は、ドア９１と、ドア外枠９２と、ドア９１に組み込まれた実施の形態５に係る暗証符号錠５０、ドア９１とドア外枠９２との間をロックするデッドボルト９３ａ及び受座９３ｂ（図２２参照）を含む施錠部９３とを含んで構成されている。
図２２は、施錠部９３を構成する部材を分解して示す斜視図であり、（ａ）は暗証符号錠５０、（ｂ）はデッドボルト９３ａの受座９３ｂ、（ｃ）はデッドボルトガイド９３ｃを示している。デッドボルト９３ａは、暗証符号錠５０のロック用部材５１の一部であり、その延長上に形成されている。
【０１１５】
これらの部材のうち、デッドボルトガイド９３ｃは、図２１に示したドア９１に組み込まれ、デッドボルト９３ａは、デッドボルトガイド９３ｃの中に収められ、ドア９１に固定されている。また、デッドボルト９３ａには、デッドボルト操作ノブ９３ｅが設けられており、デッドボルト操作ノブ９３ｅは、デッドボルトガイド９３ｃに形成されているスリット９３ｄに通された固定軸９３ｆを介して、ドア９１の室外側及び室内側に突出して位置するように設定されている。そのため、室外側及び室内側からデッドボルト９３ａを解錠側又は施錠側に移動させることができるようになっている。
【０１１６】
暗証符号錠５０（図１２、図１７参照）は、すでに説明したように、室外側には開閉蓋４１を備えており、回転板３５Ａは、操作時以外は開閉蓋４１によって覆われている。また、解錠された状態で開閉蓋４１を開け、スイッチを入れると、ロック用部材５１の突起５３ａがロック用部材５１の本体部５２内に引き込まれ、すべての回転板３５Ａを暗証符号に位置合わせすることなく、ロック用部材５１、すなわちデッドボルト９３ａを施錠位置に移動させることができるようになっている。
【０１１７】
ドア９１を施錠する場合には、開閉蓋４１を開けて、デッドボルト操作ノブ９３ｅを施錠側に移動させ、デッドボルト９３ａを受座９３ｂに挿入する。施錠後は、各回転板３５Ａの位置をずらし、暗証符号のまま放置されないようにする。ただし、その操作が行われなかった場合でも、暗証符号錠５０の場合には回転板３５のリセット機構が設けられているので、暗証符号に位置合わせされた状態に放置されることがない。これらの操作によって、ドア９１は暗証符号錠５０によってロックされる。それぞれの回転板３５Ａは、暗証符号に位置合わせされた位置からリセットされているので、解錠される可能性はほとんどない。
【０１１８】
暗証符号錠５０を解錠しドア９１を開く場合には、開閉蓋４１を開け、各回転板３５Ａを暗証符号に位置合わせし、その状態で、デッドボルト操作ノブ９３ｅを解錠側に移動させる。それによって、ドア９１はロックが解除され開くことができるようになる。解錠後は、各回転板３５Ａの位置をずらし、暗証符号のまま放置されないようにする。ただし、その操作が行われなかった場合でも、暗証符号錠５０の場合には回転板３５のリセット機構が設けられているので、暗証符号に位置合わせされた状態に放置されることがない。
【０１１９】
上記の実施の形態７に係る防犯戸システム９０には、暗証符号錠５０を用いる場合を示したが、室外及び室内の両側から操作可能は暗証符号錠を用いる防犯戸システムに対しては、暗証符号錠５０以外の暗証符号錠１０、２０、３０、３０Ａ、４０を適用することができる。
【０１２０】
なお、暗証符号錠１０、２０、３０、３０Ａ、４０、５０が適用された防犯戸システムには、ドアに通常採用されているチューブ錠、サムターン錠などを併用することが好ましい。１つのドアに対して少なくとも２つの錠を設けることが、防犯上好ましいとされており、室内、家屋内などに人がいる時、短時間の外出の時など、敢えて暗証符号錠により施錠する必要がないと思う場合があり、そのような場合にも対応できるからである。チューブ錠、サムターン錠などは比較的安価であるので、これらの錠を併用しても、防犯戸システムの価格が、それほど高くなることはない。
【図面の簡単な説明】
【０１２１】
【図１】本発明の実施の形態１に係る符号付スライド板型の暗証符号錠の外観を示す斜視図である。
【図２】暗証符号錠の本体部に収められている部材を示す斜視図であり、（ａ）は符号付スライド板、（ｂ）はロック用部材、（ｃ）は符号付スライド板とロック用部材とが組み合わされた状態を示している。
【図３】暗証符号錠の本体部の枠部を示す斜視図であり、（ａ）は室外側パネル、（ｂ）は符号付スライド板配列パネル、（ｃ）は室内側パネルを示している。
【図４】暗証符号錠の構造を示す図であり、図１に示したＩＶ−ＩＶ’切断線における断面図である。
【図５】実施の形態２に係る暗証符号錠におけるスライド板のリセット機構の１例を示す斜視図であり、（ａ）は開閉蓋を開けた状態、（ｂ）は開閉蓋を閉じた状態を示している。
【図６】実施の形態３に係る符号付回転板型の暗証符号錠の外観を示す斜視図である。
【図７】暗証符号錠の本体部に収められている部材を示す斜視図であり、（ａ）は符号付回転板、（ｂ）は符号付回転板とロック用部材とが組み合わされた状態を示している。
【図８】図６に示した暗証符号錠の断面図であり、（ａ）はVIIIａ-VIIIａ’切断線、（ｂ）はVIIIｂ-VIIIｂ’切断線における断面構造を示している。
【図９】暗証符号錠に用いられる回転板を分解して示す斜視図であり、（ａ）は符号リング、（ｂ）は支持円板を示している。
【図１０】別の実施の形態に係る回転板を示す斜視図であり、（ａ）は一体型の回転板の例、（ｂ）は回転板とロック用部材とが組み合わされた状態を示している。
【図１１】別の形態に係る回転板を示す斜視図である。
【図１２】実施の形態４に係る暗証符号錠の構成を示す斜視図である。
【図１３】実施の形態４に係る暗証符号錠の本体部を示す斜視図である。
【図１４】開閉蓋と駆動アームとリセットバーの動きの関係を説明する図である。
【図１５】リセットバーの動きと位置合わせ用ノブの動きとの関係を示す図である。
【図１６】実施の形態５に係る暗証符号錠に用いられるロック用部材とロック用部材の突起の外観を示す斜視図である。
【図１７】実施の形態５に係る暗証符号錠における電極への電力供給とロック用部材の動きとの関係を示す斜視図であり、（ａ）はロック用部材が解錠の位置にある状態、（ｂ）はロック用部材が施錠の位置にある状態を示している。
【図１８】実施の形態６に係る暗証符号錠を示す斜視図であり、（ａ）は暗証符号錠を構成する部材を分解して示す図、（ｂ）は施錠された状態を示す図である。
【図１９】暗証符号錠との組み合わせで用いられるロック部の構成例を示す模式的断面図であり、（ａ）は解錠状態、（ｂ）は施錠状態を示している。
【図２０】暗証符号錠との組み合わせで用いられるロック部の構成例を示す模式的断面図であり、（ａ）は解錠状態、（ｂ）は施錠状態を示している。
【図２１】実施の形態７に係る全体構成を示す斜視図である。
【図２２】防犯戸システムの施錠部を構成する部材を分解して示す斜視図であり、（ａ）は暗証符号錠、（ｂ）はデッドボルトの受座、（ｃ）はデッドボルトガイドを示している。
【図２３】従来の技術に係るダイヤル式門錠を示す断面図であり、（ａ）は施錠状態、（ｂ）は解錠状態を示している。
【図２４】従来の技術に係るスライド錠を示す斜視図である。
【符号の説明】
【０１２２】
１０、２０、３０、３０Ａ、４０、５０、６０    暗証符号錠
１１      室外側パネル
１２      室内側パネル
１３      中間枠
１４、３４、５１    ロック用部材
１４ａ、３４ａ    突起
１５      符号付スライド板
１５ａ、３５ｃ    位置合わせ用ノブ
１５ｆ、３５ｆ、３５ｇ    解錠用開口部
１６、３６    ロック用部材支持孔
２１、４１    開閉蓋
２２      リセット板
３１      ケーシング
３１ａ    室外側開口部
３１ｂ    室内側開口部
３５、３５Ａ    回転板
３７      支持円板
３８      符号リング
５２      ロック用部材本体部
５３      突起部材
５６      電磁石
６１      暗証符号キー部材
６２      前面パネル
６４      デッドボルト
６５      キーブロック
６６      かんぬき部材
７１      ロックバー
７２      ロックバーの収容部
７３      ロックバー受け部
８１      フック
８２      フック受け部
８３      カム機構
９０      防犯戸システム
９１      ドア
９２      ドア外枠
９３      施錠部
【図１】
2006183270.tif 000003
【図２】
2006183270.tif 000004
【図３】
2006183270.tif 000005
【図４】
2006183270.tif 000006
【図５】
2006183270.tif 000007
【図６】
2006183270.tif 000008
【図７】
2006183270.tif 000009
【図８】
2006183270.tif 000010
【図９】
2006183270.tif 000011
【図１０】
2006183270.tif 000012
【図１１】
2006183270.tif 000013
【図１２】
2006183270.tif 000014
【図１３】
2006183270.tif 000015
【図１４】
2006183270.tif 000016
【図１５】
2006183270.tif 000017
【図１６】
2006183270.tif 000018
【図１７】
2006183270.tif 000019
【図１８】
2006183270.tif 000020
【図１９】
2006183270.tif 000021
【図２０】
2006183270.tif 000022
【図２１】
2006183270.tif 000023
【図２２】
2006183270.tif 000024
【図２３】
2006183270.tif 000025
【図２４】
2006183270.tif 000026